(57)【特許請求の範囲】
【請求項１】
野菜などを栽培するトンネルシート内の温度調整をするためにトンネルシートに孔を開けるトンネルシート孔開け装置において、
先端部をトンネルシートに押しつけるためのカバーと、
前記カバーに連設されるパイプと、
前記パイプ内をスライド可能であり、一方端を把持するためのシャフトと、
前記シャフト先端に取り付けられ、辺の一部を欠如した多角形状または曲線の一部を欠如した曲線形状の刃枠と、
前記刃枠に固定された切断刃と、
前記カバーの先端に取り付けられ、前記刃枠に固定された切断刃によって形成される空間内を進入可能な保護板と、
前記カバーの底部に前記刃枠が押しつけられるように付勢力を与える弾性部材と、
を備え、
前記トンネルシートの任意位置に前記カバーの先端部を押し付け、前記弾性部材に逆らって前記シャフトを押し込むことにより、前記切断刃が前記多角形状または曲線形状に前記トンネルシートを切り込むとともに形成されるトンネルシート切り込み片がトンネルシートの内側にトンネルシート切り込み片接続部で折れ曲がって垂れるように構成したことを特徴とするトンネルシート孔開け装置。
【請求項２】
前記辺の一部を欠如した多角形状は、コの字形状またはＶ字形状であることを特徴とする請求項１記載のトンネルシート孔開け装置。
【発明の詳細な説明】
【技術分野】
【０００１】
本発明は、野菜等の栽培に適した環境温度を確保するトンネルシートに孔を開けるためのトンネルシート孔開け装置に関する。
【背景技術】
【０００２】
寒冷時期に野菜等を栽培する時、栽培に適した環境温度を確保するためにトンネルシート（トンネル状にプラスチック製のフィルムシートを敷設）を敷設することがよく知られている。また、トンネルシート内の温度が適温以上に上昇した場合はトンネルシートに孔を開けて温度調節をすることもよく知られている。
図７はこのトンネルシートに孔を開けるための従来のトンネルシート孔開け装置の一例を示す正面図（ａ）および側面図（ｂ）であり、（ａ）のカバー２の部分は断面図で示されている。
図７において、先端部につば２ａを有する円筒形状のカバー２の底部２ｂの中央に丸パイプ３が連設されている。つば２ａは孔開けの際、トンネルシート８（図９を参照）面に押し当てるために設けられたものである。
【０００３】
把持部となるシャフト４が丸パイプ３に挿通され、丸パイプ３内をスライド可能である。シャフト４の先端に刃固定部５ａを立ち上げた円板状の刃枠５が固定されている。円周部に沿ってノコギリ状の刃部６ａを有する円筒状の切断刃６の他方の円周部が刃枠５の刃固定部５ａに固定されている。カバー２の底部２ｂの円周付近に９０度間隔で４個の保持刃７が取り付けられている。保持刃７は切断刃６の刃部６ａと同じ方向に向いており、先端が尖った形状となっている。
【０００４】
図８および図９は上記トンネルシート孔開け装置の使用例およびその動作例を説明するための図である。
図８において、栽培されている野菜８０１を覆い被せたトンネルシート８の斜め右側および左側に円板状の孔１０が形成された状態が示されている。
孔開け作業にあたり、トンネルシート８の任意の位置にトンネルシート孔開け装置１のつば２ａを押し付ける（図９の（ａ））。
つぎにシャフト４を押し込むと、切断刃６はカバー２から押し出されトンネルシート８の押し当てた部分は円板状に切断される。切断された円板状の切断片９は保持刃７に突き刺さって保持される（図９の（ｂ））。孔開け操作終了後は、シャフト４を引き戻すことにより切断片９を飛散すること無くトンネルシート孔開け装置内に回収することができる（図９の（ｃ））。
【０００５】
従来のトンネルシート孔開け装置の他の例として特許文献１が開示されている。
これはトンネルフィルムに通気孔を穿孔するための穿孔器であり、柄部の中心部分が屈曲可能に形成され、下縁部に円または角孔を穿設する刃部を設けた筐体がカバーで被覆されている。カバーの下縁より下方に突出するように穿孔された部分のフィルムを保持する保持針が固定され、切り抜かれたフィルムはスプリングの付勢力によって押出棒を下方に突出させることにより脱去するように構成されている。
【０００６】
また、三角形状や円弧形状などの切り込みを形成するトンネルシートやこのようなトンネルシートを用いるものとして特許文献２および３が開示されている。
特許文献２は作物の生育に応じて、針目切断線により三角形，四角形等の換気孔を形成する未開孔フィルムの発明であり、フィルム切断片はトンネルフィルムとつながったまま内部に垂れ下がった状態となる。
特許文献３はＶ字形状あるいは円弧形状の切り込みが形成された野菜栽培用トンネル等に使用するカバーシートの発明である。Ｖ字形等の切り込みは、カバーシートにプレスで打ち抜き形成したもので、この切り込みから空気を出入りさせたり、雨水を侵入させたりするものである。
【先行技術文献】
【特許文献】
【０００７】
【特許文献１】特開昭５６−３２００号公報
【特許文献２】特開昭５７−１８９２３号公報
【特許文献３】特開平１０−２１５７０７号公報
【発明の概要】
【発明が解決しようとする課題】
【０００８】
上記従来例のトンネルシート孔開け装置では、トンネルシートに孔を開けた場合、開けた部分のシートの一部は切断片になり、これはプラスチック製のフィルムシートの為、環境保護のために適切に廃棄処理する必要があった。
また、特許文献１はトンネルフィルムに通気孔を開ける装置で、通気孔を開けて切り抜かれたフィルムは保持針に保持され、そのフィルムはスプリングの付勢力によって押出棒を下方に突出させることにより脱去するというものであるが、孔を形成した後のシートを切り取る構造は上記従来例のトンネルシート孔開け装置と類似の構成であり、切り取ったフィルム片は、廃棄しなければならない。
【０００９】
つぎに特許文献２は未開孔フィルムに三角形などを形成する針目切断線が設けられており、フィルム切断片はトンネルフィルムとつながった状態で垂れ下がるように形成されているが、切断線を形成する方法や装置についての構成の開示はない。
特許文献３のカバーシートにＶ字形などの切り込みを形成する方法はプレスで打ち抜きして作るものであり、孔開け装置の開示はない。
本発明の目的は、従来例の問題点に着目してなされたもので、トンネルシートの切り込み形状を辺の一部を欠如した多角形状または曲線の一部を欠如した曲線形状にすることにより、トンネルシートから切り離される切断片が発生しない孔開けを実現してトンネルシート切断片の廃棄処理を不要とするとともに作業者が安易に切断刃に触れることが無く、作業者の安全性も確保することができるトンネルシート孔開け装置を提供することにある。
【課題を解決するための手段】
【００１０】
前記目的を達成するために本発明による請求項１は、野菜などを栽培するトンネルシート内の温度調整をするためにトンネルシートに孔を開けるトンネルシート孔開け装置において、先端部をトンネルシートに押しつけるためのカバーと、前記カバーに連設されるパイプと、前記パイプ内をスライド可能であり、一方端を把持するためのシャフトと、前記シャフト先端に取り付けられ、辺の一部を欠如した多角形状または曲線の一部を欠如した曲線形状の刃枠と、前記刃枠に固定された切断刃と、前記カバーの先端に取り付けられ、前記刃枠に固定された切断刃によって形成される空間内を進入可能な保護板と、前記カバーの底部に前記刃枠が押しつけられるように付勢力を与える弾性部材とを備え、
前記トンネルシートの任意位置に前記カバーの先端部を押し付け、前記弾性部材に逆らって前記シャフトを押し込むことにより、前記切断刃が前記多角形状または曲線形状に前記トンネルシートを切り込むとともに形成されるトンネルシート切り込み片がトンネルシートの内側にトンネルシート切り込み片接続部で折れ曲がって垂れるように構成したことを特徴とする。
本発明の請求項２は、請求項１記載の発明において前記辺の一部を欠如した多角形状は、コの字形状またはＶ字形状であることを特徴とする。
また、曲線の一部を欠如した曲線形状は、円弧形状や、曲線の一部を欠如した楕円，不特定の曲線形状である。
前記弾性部材はシャフトに挿通される圧縮スプリングであって、圧縮スプリングの一端がシャフトに係止され、他端がカバーの背面に押し当てられるように構成することができる。
前記カバーの先端部はカバー側面に対し略９０度折れ曲がった形状であって、折れ曲がった面がトンネルシートに押し付けられる構造にすることができる。
前記切断刃はのこぎり形状の刃にすることができる。
前記刃枠の各辺には切断刃をネジ止めにより固定することができる。
【発明の効果】
【００１１】
上記構成によれば、辺の一部が欠如した多角形状に切り込まれた、例えば四角形状（コの字形状）または三角形状（Ｖ字形状）の切り込み片や、曲線の一部が欠如した曲線形状に切り込まれた例えば円弧状の切り込み片が自重でトンネルシート内側に垂れ下がることで、トンネルシートに孔を開けることが出来るため、切断片の回収の必要が無い孔開け作業を実現することができる。また、カバー先端部に保護板を設けることにより、切り込み作業を行わない状態ではカバー内に切断刃が退避した状態となるため作業者は安易に切断刃に触れることが無く作業者の安全性も向上する。
【図面の簡単な説明】
【００１２】
【図１】本発明によるトンネルシート孔開け装置の第１の実施の形態を示す正面図（ａ）および側面図（ｂ）である。
【図２】図１のトンネルシート孔開け装置の使用例を示す図で、トンネルシートに孔開けした状態を示す図である。。
【図３】図１のトンネルシート孔開け装置による作業手順を説明するための図である。
【図４】本発明によるトンネルシート孔開け装置の第２の実施の形態を示す正面図（ａ）および側面図（ｂ）である。
【図５】図４のトンネルシート孔開け装置の使用例を示す図で、トンネルシートに孔開けした状態を示す図である。。
【図６】図４のトンネルシート孔開け装置による作業手順を説明するための図である。
【図７】従来のトンネルシート孔開け装置の構造を示す正面図（ａ）および側面図（ｂ）である。
【図８】従来のトンネルシート孔開け装置の使用例を示す図で、トンネルシートに孔開けした状態を示す図である。
【図９】従来のトンネルシート孔開け装置による作業手順を説明するための図である。
【発明を実施するための形態】
【００１３】
以下、図面を参照して本発明の実施の形態を詳しく説明する。
図１の（ａ），（ｂ）は本発明によるトンネルシート孔開け装置の第１の実施の形態を示す正面図および側面図で、図１の（ａ）のカバー付近を断面で示している。
図１において、先端部につば１２ａを有する四角筒形状のカバー１２の底部１２ｂの中央に丸パイプ１３が連設されている。つば１２ａは孔開けの際、トンネルシート１９（図２を参照）面に押し当てるために設けられたものである。
【００１４】
把持部となるシャフト１４が丸パイプ１３に挿通され、丸パイプ１３内をスライド可能に構成されている。シャフト１４の先端に、コの字形を形成する刃固定部１５ａ，１５ｂ，１５ｃを有するコの字形状（一辺が欠如した四角形状）の刃枠１５が固定されている。ノコギリ状の刃部１６ａ，１６ｂ，１６ｃを有するコの字状の切断刃１６が刃枠１５の刃固定部１５ａ，１５ｂ，１５ｃにネジ１５１によって取り付けられている。また、つば１２ａに四角形状の保護板１７がネジ１７１よって固定されている。保護板１７の縦横の寸法は刃枠１５の内側の縦横の寸法より小さくなっており、切断刃１６が突出してきたとき、保護板１７は刃枠１５に取り付けた切断刃１６が形成する空間部に進入する。
【００１５】
さらにシャフト１４の中間にフランジ１４１が取り付けられており、このフランジ１４１とカバー１２の底部１２ｂの間のシャフトに圧縮スプリング１８が挿通されている。圧縮スプリング１８はシャフト１４に取り付けられた刃枠１５をカバー１２の底部１２ｂの方向に押しつけるように付勢力を与えている。
【００１６】
図２，図３に第１の実施の形態によるトンネルシート孔開け装置１１の使用例およびその動作例を示す。
図２において、栽培されている野菜１９１を覆い被せたトンネルシート１９の斜め右側および左側に四角形状の切り込み片２０がトンネルシート１９の内側にトンネルシート切り込み片接続部２０ａで折れ曲がって垂れ下がっている。トンネルシート１９には四角形の孔１９２が形成される。
【００１７】
孔開け作業にあたり、トンネルシート１９の任意の位置に第１の実施の形態によるトンネルシート孔開け装置のつば１２ａを押し付ける（図３の（ａ））。
つぎにシャフト１４を圧縮スプリング１８の付勢力に逆らって押し込むと、切断刃１６はカバー１２から押し出され、トンネルシート１９にコの字形状の切り込みを入れる。
コの字形状の切り込み片２０は自重によりトンネルシート１９の内側に垂れ下がる（図３の（ｂ））。
つぎにシャフト１４を引くことにより切断刃１６はカバー１２内に収容されるとともにカバー１２のつば１２ａもトンネルシート１９から離脱する（図３の（ｃ））。これにより孔開け作業が終了する。孔開け作業を行っていない状態では保護板１７で手がカバー１２内に入らないため、安全性が確保される。
【００１８】
図４の（ａ），（ｂ）は本発明によるトンネルシート孔開け装置の第２の実施の形態を示す正面図および側面図で、図４の（ａ）のカバー付近を断面で示している。
この第２の実施の形態の基本的な構造は第１の実施の形態と同じである。図４において、先端部につば２２ａを有する三角筒形状のカバー２２の底部２２ｂに丸パイプ２３が連設されている。つば２２ａは孔開けの際、トンネルシート２９（図５を参照）面に押し当てるために設けられたものである。
【００１９】
把持部となるシャフト２４が丸パイプ２３に挿通され、丸パイプ２３内をスライド可能に構成されている。シャフト２４の先端にＶ字を形成する刃固定部２５ａ，２５ｂを有するＶ字形状（一辺が欠如した三角形状）の刃枠２５が固定されている。ノコギリ状の刃部２６ａ，２６ｂを有するＶ字状の切断刃２６が刃枠２５の刃固定部２５ａ，２５ｂにネジ２５１によって取り付けられている。また、つば２２ａに三角形状の保護板２７がネジ２７１によって固定されている。保護板２７の三角形の寸法は刃枠２５の内側の三角形より小さくなっており、切断刃２６がカバー２２から突出してきたとき、保護板２７は刃枠２５に取り付けられた切断刃２６により形成される空間部に進入する。
【００２０】
さらにシャフト２４の中間にフランジ２４１が取り付けられており、このフランジ２４１とカバー２２の底部２２ｂの間のシャフトに圧縮スプリング２８が挿通されている。圧縮スプリング２８はシャフト２４に取り付けられた刃枠２５をカバー２２の底部２２ｂの方向に押しつけるように付勢力を与えている。
【００２１】
図５，図６に第２の実施の形態によるトンネルシート孔開け装置２１の使用例およびその動作例を示す。
図５において、栽培されている野菜２９１を覆い被せたトンネルシート２９の斜め右側および左側に三角形状の切り込み片３０がトンネルシート２９の内側にトンネルシート切り込み片接続部３０ａで折れ曲がって垂れ下がっている。トンネルシート２９には三角形の孔２９２が形成される。
【００２２】
孔開け作業にあり、トンネルシート２９の任意の位置に第２の実施の形態によるトンネルシート孔開け装置２１のつば２２ａを押し付ける（図６の（ａ））。
つぎにシャフト２４を圧縮スプリング２８の付勢力に逆らって押し込むと、切断刃２６はカバー２２から押し出され、トンネルシート２９にＶ字形状の切り込みを入れる。
Ｖ字形状の切り込み片３０は自重によりトンネルシート２９の内側に垂れ下がる（図６の（ｂ））。
つぎにシャフト２４を引くことにより切断刃２６はカバー２２内に収容されるとともにカバー２２のつば２２ａもトンネルシート２９から離脱する（図６の（ｃ））。これにより孔開け作業が終了する。孔開け作業を行っていない状態では保護板２７で手がカバー２２内に入らないため安全性が確保される。
【００２３】
以上の実施の形態において多角形状として三角形状（Ｖ字形状）および四角形状（コの字形状）の切り込み片を形成する例を説明したが、曲線形状（不特定の曲率の曲線による）として円弧形状や曲線形状の切り込み片を形成するトンネルシート孔開け装置を構成することもできる。
円弧形状の切り込み片を形成するには、一部欠如した円形状の刃枠を構成し、さらにカバーも円形筒状に構成することにより実施することができる。
また、曲線形状の切り込み片を形成するには、一部欠如した曲線形状の刃枠を構成し、さらにカバーも円形筒状に構成することにより実施することができる。
【産業上の利用可能性】
【００２４】
野菜などを栽培するトンネルシートに孔を開けるための孔開け装置である。
【符号の説明】
【００２５】
１，１１，２１  トンネルシート孔開け装置
２，１２，２２  カバー
３，１３，２３  丸パイプ
４，１４，２４  シャフト
５，１５，２５  刃枠
６，１６，２６  切断刃
７  保持刃
８，１９，２９  トンネルシート
９  切断片
１０  孔
１７，２７  保護板
１８，２８  圧縮スプリング
２０，３０  切り込み片
【図１】
0005394277.tif 000002
【図２】
0005394277.tif 000003
【図３】
0005394277.tif 000004
【図４】
0005394277.tif 000005
【図５】
0005394277.tif 000006
【図６】
0005394277.tif 000007
【図７】
0005394277.tif 000008
【図８】
0005394277.tif 000009
【図９】
0005394277.tif 000010